(57)【要約】【課題】高品質のＩＰ通信サービスを提供するとともに、両方向で契約期間を通して優先制御や帯域保証などの付加サービスを提供することにある。【解決手段】専用線のように相手を特定する使い方の、提供される専用ポートサービス方法において、サーバ４とＩＰ通信網３と複数の情報通信端末５、６を含むシステムの両端のポート番号８０を指定し、そのポートを使った専用線における該ポート番号８０経由の通信については、優先制御あるいは帯域保証をするファイル共有サービスあるいはファイル転送通信サービスを提供することを特徴とする。【選択図】      図１
2004235696.tif 000002
【特許請求の範囲】
【請求項１】
ＩＰ通信網と複数の情報通信端末を含むシステムに提供される専用ポートサービス方法において、通信を行う該情報通信端末は、それぞれ両端の同一ポート番号を指定し、該ポート番号経由の通信については、優先制御あるいは帯域保証をするファイル共有サービスあるいはファイル転送通信サービスを行うことを特徴とする専用ポートサービス方法。
【請求項２】
ＩＰ通信網と通信サーバと複数の情報通信端末を含むシステムにおいて、該通信サーバは異なるポートを用いることでグループを識別するバーチャホスト手段を有することを特徴とするシステム。
【請求項３】
グループＡの複数情報通信端末及びグループＢの複数情報通信端末がそれぞれにファイルを共有しているシステムにおいて、前記グループＡに属する情報通信端末はポート番号ＰＡを使用して、サーバから第１の共有サービスを受け、グループＢに属する情報通信端末はポート番号ＰＢを使用して、該サーバから第２の共有サービスを受けることを特徴とするシステム。
【請求項４】
請求項１記載の専用ポートサービス方法において、前記情報通信端末がいずれのグループに属するかは、指定されるポート番号により、前記ポート番号経由の通信について、優先制御あるいは帯域保証のサービスを行うことを特徴とする専用ポートサービス方法。
【請求項５】
請求項１記載の専用ポートサービス方法において、前記情報通信端末に内蔵あるいは接続する専用モデムから送出されるプロトコル中の指示により、ポート番号を設定することを特徴とする専用ポートサービス方法。
【請求項６】
請求項１記載の専用ポートサービス方法において、前記情報通信端末が所属するネットワークのエッジルータは、データを受ける時にはユーザ指定の一般的なポート番号を指定して受け、中継ルータに送信する時は別の特定ポート番号を指定して送出し、対向のエッジルータで所望のポート番号に変換して、特定ＭＡＣアドレス及び特定の対向ユーザ端末にデータを渡すことを特徴とする専用ポートサービス方法。
【請求項７】
請求項１記載の専用ポートサービス方法において、前記情報通信端末に実装する特定ポートを用いたアプリケーションのプログラムソフトウェア内で、ポート番号を指定して、データを送出することを特徴とする専用ポートサービス方法。
【請求項８】
請求項１記載の専用ポートサービス方法において、前記情報通信端末が発信するアドレス内でポート番号を指定することにより、指定した通信が前記ポートを経由して行われることを特徴とする専用ポートサービス方法。
【請求項９】
請求項１記載の専用ポートサービス方法において、前記両端のポート番号を指定する場合に、ＦＴＰを使用したファイル共有サービスあるいはファイル転送通信サービスを行うことを特徴とする専用ポートサービス方法。
【請求項１０】
請求項１記載の専用ポートサービス方法において、前記両端のポート番号を指定する場合に、ＷｅｂＤＡＶを使用したファイル共有サービスあるいはファイル転送通信サービスを行うことを特徴とする専用ポートサービス方法。
【発明の詳細な説明】
【０００１】
【発明の属する技術分野】
ＩＰ（Ｉｎｔｅｒｎｅｔ  Ｐｒｏｔｏｃｏｌ）通信サービス技術の分野に属するものであり、特定ポートを通す専用ポートサービス方法、およびそれを実現するためのシステムに関する。
【０００２】
【従来の技術】
従来のプロトコルの使われ方は、通信相手が不特定を前提としているので、自分のポート、相手のポートを特定していない。通信相手ポートについてはＨＴＴＰ（Ｈｙｐｅｒ  Ｔｅｘｔ  Ｔｒａｎｓｆｅｒ  Ｐｒｏｔｏｃｏｌ）では８０番のようなウェルノウンポートとして一般的な使われ方もあるが、両端のポートを規定するサービスはない。
【０００３】
専用線のように相手を特定する使い方であって、両端のポートを特定し、そのポートを使った専用線に対して、両方向で契約期間を通して優先制御や帯域保証をするといった付加サービスは従来行われていなかった。
【０００４】
Ｐ２Ｐ（ｐｅｅｒ  ｔｏ  ｐｅｅｒ）時代のデータ送受信には特定のポートを用いたデータの送受信が行われ、従来ファイル転送用に一般的にはＦＴＰ（Ｆｉｌｅ  Ｔｒａｎｓｆｅｒ  Ｐｒｏｔｏｃｏｌ）といったプロトコルが使用され、この場合はデータ送信と制御用の２つのポートを用いた２本の接続が必要であった。ＦＴＰとは「通信・ネットワーク用語ハンドブック２０００年版」日経ＢＰ社によれば、“インターネットを介して、ＦＴＰサーバとＦＴＰクライアントの間でファイルの送受信を行う機能をもつプロトコルである”となっている。
【０００５】
図８は、従来の技術によるシステム例の図であり、サーバ１と情報通信端末２はファイル転送プロトコルＦＴＰを使用して、制御ポート番号２１と転送ポート番号２０の２つのポートを占有して、ファイル転送サービスを行っている。基本的なプロトコルとしてＩＰやＴＣＰ（Ｔｒａｎｓｍｉｓｓｉｏｎ  Ｃｏｎｔｒｏｌ  Ｐｒｏｔｃｏｌ）やＦＴＰが使用される。この場合、サーバ１と情報通信端末２のいずれもポートを指定していない。
【０００６】
【非特許文献１】
日経コミュニケーション編集部著、「通信・ネットワーク用語ハンドブック（日経コミュニケーションブックス）」、２０００年版、  日経ＢＰ社、２０００年３月
【０００７】
【発明が解決しようとする課題】
このように、従来のプロトコルでは、自分のポートと相手のポートを設定していなかった。従って優先制御や帯域保証を行う付加サービスは行われていなかった。
【０００８】
本発明の目的は、高品質のＩＰ通信サービスを提供するために、専用線のように相手を特定する使い方を行い、両端のポートを特定して、そのポートを使った専用線に対して、両方向で契約期間を通して優先制御や帯域保証などの付加サービスを行うことが可能な専用ポートサービス方法、およびそれを実現するためのシステムを提供することである。
【０００９】
【課題を解決するための手段】
上記目的を達成するため、本発明に係る提供される専用ポートサービス方法は、ＩＰ通信網と複数の情報通信端末を含むシステムの両端のポート番号を指定し、該ポート番号経由の通信については、優先制御あるいは帯域保証をするファイル共有サービスあるいはファイル転送通信サービスを提供することを特徴とする。
【００１０】
また、上記専用ポートサービスを実現するための、ＩＰ通信網と通信サーバと複数の情報通信端末を含むシステムは、該通信サーバは異なるポートを用いることでグループを識別するバーチャホスト機能を有することを特徴とする。
【００１１】
また、上記専用ポートサービスを実現するための、グループＡの複数情報通信端末及びグループＢの複数情報通信端末がそれぞれにファイルを共有しているシステムでは、グループＡに属する情報通信端末はポート番号ＰＡを使用して、サーバから第１の共有サービスを受け、グループＢに属する情報通信端末はポート番号ＰＢを使用して、該サーバから第２の共有サービスを受ける０ことを特徴とする。
【００１２】
また、専用ポートサービス方法では、前記情報通信端末がいずれのグループに属するかは指定されるポート番号により、前記ポート番号経由の通信について優先制御あるいは帯域保証のサービスを行うことを特徴とする。
【００１３】
また、専用ポートサービス方法では、前記情報通信端末に内蔵あるいは接続する専用モデムからプロトコル中でポート番号を設定することを特徴とする。
【００１４】
また、専用ポートサービス方法では、前記情報通信端末が所属するネットワークのエッジルータにおいて、データを受ける時にはユーザ指定の一般的なポート番号を指定して受け、中継ルータに送信する時は別の特定ポート番号を指定して送出し、対向のエッジルータで所望のポート番号に変換して、特定ＭＡＣアドレス及び特定の対向ユーザにデータを渡すことを特徴とする。
【００１５】
また、専用ポートサービス方法では、前記情報通信端末に実装する特定ポートを用いたアプリケーションのプログラムソフトウェア内で、ポート番号を指定して送出することを特徴とする。
【００１６】
また、専用ポートサービス方法では、前記情報通信端末が発信するアドレス内でポート番号を指定することにより、指定した通信が前記ポートを経由して行われることを特徴とする。
【００１７】
また、専用ポートサービス方法では、前記両端のポート番号を指定する場合に、ＦＴＰを使用したファイル共有サービスあるいはファイル転送通信サービスを行うことを特徴とする。
【００１８】
また、専用ポートサービス方法では、前記両端のポート番号を指定する場合に、ＷｅｂＤＡＶを使用したファイル共有サービスあるいはファイル転送通信サービスを行うことを特徴とする。
【００１９】
【発明の実施の形態】
【００２０】
以下に図面を用いて詳細に説明する。
図１は、本発明の第１の実施例を示すサービスシステムの構成図である。サーバ４と情報通信端末５及び６はＩＰ通信網３にて接続されており、サーバ４と情報通信端末５及び６間において、次世代プロトコルＷｅｂＤＡＶ（Ｗｏｒｌｄ  Ｗｉｄｅ  Ｗｅｂ  Ｄｉｓｔｒｉｂｕｔｅｄ  Ａｕｔｈｏｒｉｚｉｎｇ  ａｎｄＶｅｒｓｉｏｎｉｎｇ  Ｐｒｏｔｏｃｏｌ）を使用し、１つのポート、例えばポート番号８０のみを提供して、ファイル転送サービスやファイル共有サービスが可能となっている。基本的なプロトコルとして、ＨＴＴＰ、ＩＰやＴＣＰが使用される。両端のポート番号を指定した専用ポートサービスが行われ、図１の本発明の第１の実施例では、サーバ４及び、情報通信端末５、６の両端で、ポート番号８０が指定されることになる。なお、ここでポート番号はどれも番号は特定せず、契約時や随時設定することにより、使用できる番号を意味している。また、以下のポート番号の記載についても同様である。
【００２１】
８０番ポートのみ使用してＨＴＴＰプロトコルを実行し、当該ポートのみを管理すればよく、このためセキュリティも高い。提供される専用ポートサービスには優先制御と帯域制御に加えて、セキュリティ、遅延、遅延揺らぎ、パケットロス、信頼性、耐障害性などがある（以上、請求項１に対応する）。
【００２２】
図２は、本発明の第２の実施例を示すシステムの構成図である。サーバ７とグループＡの情報通信端末８〜１１、グループＢの情報通信端末１２〜１５はＩＰ通信網３で接続されている。ここで通信サーバ７は、バーチャルホスト機能をもつ。ここでバーチャルホストと言っているのは、以下に示す、異なるポートを用いることでグループを識別することそのものがバーチャルなグループ分けの仕方で、その起点になっているのがバーチャルホストということになる。そのバーチャルホストの動作は、パケット中の番号を見て、バーチャルホストとなっているサーバはそのポートがどのグループであるかを識別するというものである。グループＡの複数情報通信端末８〜１１及びグループＢの複数情報通信端末１２〜１５がそれぞれにファイルを共有しているシステムにおいて、グループＡに属する情報通信端末８〜１１はポート番号３２１を使用して第１の共有サービスを受け、グループＢに属する情報通信端末１２〜１５はポート番号１２３を使用して第２の共有サービスを受け、前記情報通信端末がいずれのグループに属するかは、指定されるポート番号による。ここではグループＡの情報通信端末８〜１１は、ポート番号３２１が、グループＢの情報通信端末１２〜１５は、ポート番号１２３が、それぞれ指定される。前記ポート番号経由の通信については、優先制御あるいは帯域保証あるいはセキュリティ、遅延、遅延ゆらぎ、パケットロス、信頼性、耐障害性の保証などをする（以上、請求項２、３、４に対応する）。
【００２３】
図３は、第３の実施例を示すシステムの構成図であって、ユーザ同士が本サービスによりＷｅｂＤＡＶを使用して接続する場合である。情報通信端末５および情報通信端末６に内蔵あるいは外付けの専用モデム５１及び６１からプロトコル中でポート８０番以外の（なお、ポート８０番は、サーバとの間で専用化されている。）ポート番号１２３を設定してデータ通信が行われ、情報通信端末５及び６に専用ポートサービスが適用される。なお、ここで内蔵あるいは外付けの専用モデム５１、６１中にプロトコル群があり、そのプロトコル群は、図３の第３の実施例では、ＨＴＴＰ、ＴＣＰ、ＩＰなどのプロトコルなどがある。情報通信端末５の専用モデム５１でプロトコルＨＴＴＰが使用されるときには、情報通信端末６の専用モデム６１のプロトコルＨＴＴＰが使用され、同じく、ＴＣＰやＩＰの場合でも、両専用モデム５１、６１での使用対象プロトコルは一致する（以上、請求項５に対応する）。
【００２４】
図４は、第４の実施例のシステム接続を示す図であって、ユーザ同士がエッジルータ経由の本サービスによりＷｅｂＤＡＶを使用して接続する事例であり、図５はその機能説明図である。
【００２５】
図４および図５においては、情報通信端末５及び６に内蔵の専用モデム機能の代わりの、ユーザである情報通信端末５あるいは６が所属するＩＰ通信網３のエッジルータ１７、１８において、データを受ける時はポート８０番を指定して受け、中継ルータ１９に送信する時には契約済みの特定ポート番号１２３を指定して送出し、対向エッジルータ１８、１７で所望のポート番号８０に変換して、特定ＭＡＣアドレス及び特定の対向ユーザ情報通信端末６あるいは５にデータを渡す。つまり、ポート番号１２３の経路が、両端にある情報通信端末５、６のもつポート番号８０の経路を橋渡ししているということになる。前記ポートの指定や変換はＬ４スイッチ以上における情報通信端末５、６の制御により実現される。その場合、ネットワークを統括してオペレーティングするＮＷ−ＯｐＳ（Ｎｅｔｗｏｒｋ  Ｏｐｅｒａｔｉｎｇ  Ｓｙｓｔｅｍ）装置１６から自由にポートの設定や利用帯域の変更が可能であり、Ｗｅｂ決済などと組み合わせてユーザからも柔軟にサービスグレードの変更が可能である（以上、請求項６に対応する）。
【００２６】
図６は、第５の実施例のシステム機能説明図であり、用途が汎用ではなく、特定ポートを用いたサービスに限られている場合が例示されている。例えば簡易チャットソフトやストリーミング用アプリケーションを用いた画像配信など特定のサービス提供会社に限定されている場合である。クライアント端末である情報通信端末５に実装する当該アプリケーション用のプログラムソフトウェア内で、ＷｅｂＤＡＶ制御ポート番号ＸＹＺ、及びデータ転送ポート番号ＸＹＺに例えば８０を指定してサーバ４と通信し、情報通信端末５には専用ポートサービスが提供される。ユーザが必要な時だけ、自由な状態にあるポート番号ＸＹＺに自らのサービスに特有な特定ポート番号を指定して、その保証されたデータの通り道であるポートトンネルを使用する（以上、請求項７に対応する）。
【００２７】
図７は、第６の実施例のシステム機能説明図である。ここでは、クライアント端末である情報通信端末５が「ｈｔｔｐ：／／サーバドメイン名：ポート番号」について、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信のアドレスで、例えばポート番号８０と指定することにより、サーバ４と接続して情報通信端末５には専用ポートサービスが提供される。他のポート指定では、本専用ポートサービスには当然接続できない。つまり本専用ポートサービスには、特定のポート指定が必要となる（以上、請求項８に対応する）。
【００２８】
例えば、図４におけるＩＰ通信網３と複数の情報通信端末５と６を含むシステムにおいて、両端のポート番号を指定して提供される本発明のサービスは、プロトコルＦＴＰを使用したファイル共有サービスあるいはファイル転送通信サービスであっても有効である（以上、請求項９に対応する）。
【００２９】
また、例えば図４におけるＩＰ通信網３と複数の情報通信端末５、６を含むシステムにおいて、両端のポート番号を指定して提供される本発明のサービスは、プロトコルＷｅｂＤＡＶを使用したファイル共有サービスあるいはファイル転送通信サービスであっても有効である。
【００３０】
ＷｅｂＤＡＶとは、クライアントがＩＰ通信網内に分散されている環境で、各クライアントが共有文書を遠隔で作成・編集し、版数管理を行うための共有規定であって、例えば、ＩＥＴＦのＲＦＣ２２９１“Ｒｅｑｕｉｒｅｍｅｎｔ  ｆｏｒ  ａ  Ｄｉｓｔｒｉｂｕｔｅｄ  Ａｕｔｈｏｒｉｎｇ  ａｎｄ  Ｖｅｒｓｉｏｎｉｎｇ  Ｐｒｏｔｏｃｏｌ  ｆｏｒ  ｔｈｅ  Ｗｏｒｌｄ  Ｗｉｄｅ  Ｗｅｂ”１９９８に概要が、また、ＲＦＣ２５１８“ＨＴＴＰ  Ｅｘｔｅｎｓｉｏｎｓｆｏｒ  Ｄｉｓｔｒｉｂｕｔｅｄ  Ａｕｔｏｒｉｎｇ  ――ＷＥＢＤＡＶ”１９９９に詳細が、説明されている（以上、請求項１０に対応する）。
【００３１】
【発明の効果】
以上のように、本発明によれば、セキュリティが高い、帯域保証された、ＱｏＳ（Ｑｕａｌｉｔｙ  ｏｆ  Ｓｅｒｖｉｃｅ）の通信品質を保証する通信サービスを一般ユーザに専用通信として提供可能である。提供するサービスには優先制御、帯域制御に加えて、セキュリティ、遅延、遅延ゆらぎ、パケットロス、信頼性、耐障害性なども可能である。
【００３２】
また、セキュリティが高い、帯域保証された、ＱｏＳの通信品質保証を顧客に提供する通信サービスの事業化による新たなビスネスチャンスが産まれる。
【００３３】
さらに、Ｐ２Ｐ時代のデータ送受信で一般的に使われているプロトコルＦＴＰは、データ送受信と制御用の２つのポートを用いた２本の接続が必要であるが、本発明で使用される次世代プロトコルと目されるＷｅｂＤＡＶでは、ＷＥＢサービスで定義されたプロトコルＨＴＴＰを用いるため、ＨＴＴＰのポートだけ管理すればよく、このためセキュリティも高いという効果がある。
【図面の簡単な説明】
【図１】本発明の第１の実施例システム図である。
【図２】本発明の第２の実施例システム図である。
【図３】本発明の第３の実施例システム図である。
【図４】本発明の第４の実施例システム図である。
【図５】本発明の第４の実施例の機能説明図である。
【図６】本発明の第５の実施例システム機能説明図である。
【図７】本発明の第６の実施例システム機能説明図である。
【図８】従来のシステム説明図である。
【符号の説明】
１、４、７  サーバ
２  従来の情報通信端末
３  ＩＰ通信網
５、６、８〜１５  本発明で使用される情報通信端末
５１  情報通信端末５内蔵／外付けの専用モデム
６１  情報通信端末６内蔵／外付けの専用モデム
１６  ＮＷ−ＯｐＳ装置
１７、１８  エッジルータ
１９  中継ルータ
【図１】
2004235696.tif 000003
【図２】
2004235696.tif 000004
【図３】
2004235696.tif 000005
【図４】
2004235696.tif 000006
【図５】
2004235696.tif 000007
【図６】
2004235696.tif 000008
【図７】
2004235696.tif 000009
【図８】
2004235696.tif 000010